(57)【要約】      （修正有）【課題】点検時に取り扱いが容易にできる点検装置を提供する。【解決手段】点検装置は、伸縮自在なポール１と、該ポール１の上部に設置された撮影ユニット２と、該撮影ユニット２の周囲に配され、少なくともその撮影時に周囲を照らす照明器具３ａ、３ｃと、少なくとも照明器具３ａ、３ｃに電気を供給する電源４と、該電源４から、少なくとも照明器具３ａ、３ｃに供給される電気をオン・オフする無線又は有線からなるスイッチ５とを有している。スイッチ５はポール１下部の握持位置１ａ近傍に設け、撮像時に他の端末で信号を受けて撮影画像を視認できるようにすることで、点検時のハンドリングが容易にできるようになる。【選択図】図２
0003208667.tif 000002
【実用新案登録請求の範囲】
【請求項１】
伸縮自在なポールと、
該ポールの上部に設置された撮影ユニットと、
該撮影ユニットの周囲に配され、少なくともその撮影時に周囲を照らす照明器具と、
少なくとも上記照明器具に電気を供給する電源と、
該電源から、少なくとも照明器具に供給される電気をオン・オフするの無線又は有線からなるスイッチとを有しており、
上記スイッチはポール下部の握持位置近傍に設けたことを特徴とする点検装置。
【請求項２】
上記撮影ユニットは無線で構成される送信装置を少なくとも備えており、その送信装置は、信号を送信し、その信号を受けた他の端末で撮影画像を視認可能に用いていることを特徴とする請求項１記載の点検装置。
【請求項３】
上記撮影ユニットとして、３６０度カメラを用いることを特徴とする請求項１及び２記載の点検装置。
【考案の詳細な説明】
【技術分野】
【０００１】
本考案は、離れた所にある点検対象を離れた地点から撮影して点検を可能とする点検装置を提供する。
【背景技術】
【０００２】
これまで、伸び縮み可能なポールの上部にカメラ等の撮影ユニットを付け、屋根裏やダクト・配管内に、その上部の撮影ユニットを入れて、内部の様子を点検していた。
【０００３】
必要な場合は、その撮影ユニット自身に内蔵されている照明器具を使用してその内部に照明を当てることもなされていた。
【考案の概要】
【考案が解決しようとする課題】
【０００４】
しかし、これまでの点検装置は、撮影ユニットの操作も、或は照明器具の操作も、その点検先に入れる前に、スイッチオンしておき、それから、その中に入れて点検を行っていた。そのため、撮影ユニットの電源の持ち、すなわち点検に使用できる時間が、短く、且つそのハンドリング性が悪いと言う問題があった。
【０００５】
本考案は、以上のような問題に鑑み創案されたものであって、点検に使用できる時間が長く、且つそのハンドリング性が高い点検装置を提供せんとするものである。
【課題を解決するための手段】
【０００６】
本考案に係る点検装置の構成は、
伸縮自在なポールと、
該ポールの上部に設置された撮影ユニットと、
該撮影ユニットの周囲に配され、少なくともその撮影時に周囲を照らす照明器具と、
少なくとも上記照明器具に電気を供給する電源と、
該電源から、少なくとも照明器具に供給される電気をオン・オフするの無線又は有線からなるスイッチとを有しており、
上記スイッチはポール下部の握持位置近傍に設けたことを基本的特徴としている。
【０００７】
上記構成によれば、一番電源の電気を使用する照明器具が、手元にあるスイッチの切り替えで、オン・オフされるので、照明を使わない時には、電源の電気を切っておけば良く、撮影ユニット自身の電源の持ちが良くなることになる。もちろん、このスイッチは撮影ユニットのスイッチ・オンオフに使うことができるような機能を備えていても良い。また、スイッチはポール下部の握持位置近傍に設けてあり、手元で直ぐスイッチの操作ができ、ハンドリング性が高くなった。
【０００８】
一方、上記撮影ユニットは無線で構成される送信装置を少なくとも備えており、その送信装置は、信号を送信し、その信号を受けた他の端末で撮影画像を視認できる構成とすると良い。近年はどこでも手に入りしかも安価な端末（装置）に、タブレット型端末やスマートフォン等があり、それらは略全てにWi-Fiを送受信装置として備えているので、撮影ユニットにそのようなWi-Fiに対応する送信装置を備えていれば、通常に持っているこれらのタブレット型端末やスマートフォンを、撮影画像視認用に用いることができ、点検装置としても汎用性が高くなる。
【考案の効果】
【０００９】
本考案の点検装置によれば、撮影ユニット自身の電源の持ちが良くなると共に、手元で直ぐスイッチの操作ができ、ハンドリング性が高くなるという優れた効果を奏することが可能となる。
【００１０】
また、２項目の構成によれば、通常に持っているタブレット型端末やスマートフォンを、撮影画像視認用に用いることができ、点検装置としても汎用性が高くなると言う効果を同じく奏することになる。
【図面の簡単な説明】
【００１１】
【図１】本考案の一実施例に係る点検装置の概要を説明する斜視図である。
【図２】上記実施例構成の垂直断面図である。
【図３】上記点検装置のうちの撮影ユニットの部分の概要を説明する斜視図である。
【図４】上記点検装置のうちのポール下部の握持位置の構成の垂直断面図である。
【図５】上記点検装置の使用状態を説明する説明図である。
【図６】上記点検装置を天井裏の視認に使用する状態を説明する説明図である。
【考案を実施するための形態】
【００１２】
以下、本考案の実施の形態を図示例と共に説明する。
【実施例】
【００１３】
図１は本発明を適用した点検装置の一例の概要を説明する斜視図である。
ここで示す点検装置は、伸縮自在なポール１と、該ポール１の上部に設置された撮影ユニット２と、該撮影ユニット２の周囲に配され、少なくともその撮影時に周囲を照らす照明器具３ａ〜３ｄと、少なくとも上記照明器具３ａ〜３ｄに電気を供給する電源４（後述する図２に示されている）と、該電源４から、少なくとも照明器具３ａ〜３ｄに供給される電気をオン・オフするの無線又は有線からなるスイッチ５とを有している。
【００１４】
ここで、ポール１は、図２及び図４で示されるように、内部にスプリング等で構成される弾性体１０が備えられていて、それによって伸縮自在な構成となっている。
【００１５】
上記撮影ユニット２は、種々のカメラ等が使用可能であるが、普通のカメラでは視野しか見れず必要に応じてカメラを動かす必要があり、動かしているうちにターゲットがどこにあるか分からなくなるので、本実施例では内部を一度にくまなく視認できるようにするために、図３に示すように、全方位が撮影できる３６０度カメラが使用されている。また、この撮影ユニット２には、Wi-Fiからなる、無線で外部に信号の出力が可能な送信装置が内蔵されており、後述するように、その信号を受けた外部の端末６により、撮影画像を視認できる構成となっている。近年はどこでも手に入りしかも安価な端末６に、タブレット型端末やスマートフォン等があり、それらは略全てにWi-Fiを送受信装置として備えているので、撮影ユニットにそのようなWi-Fiに対応する送信装置を備えていれば、通常に持っているこれらのタブレット型端末やスマートフォンを、撮影画像視認用に用いることができ、点検装置としても汎用性が高くなる。
【００１６】
上記照明器具３ａ〜３ｄは、暗部の撮影に用いることが多くなるので、図４に示すように、省エネ性、耐久性、コンパクト性等の点よりＬＥＤからなる照明装置が四方向に分割して設けられている。これは、上述のように、撮影ユニット２が３６０度カメラとしたために、四方向を照らし出す必要があり、そのために、四方向に分割して設けられている。尚、本実施例では、該照明器具３ａ〜３ｄを外部との接触から保護するために、透明な保護カバー３０によって、照明器具３ａ〜３ｄ周囲が覆われている。
【００１７】
上記電源４は、簡易に手に入る通常の電池や他のバッテリーが使用されている。該電源４から上記照明器具３ａ〜３ｄまでは、有線（図示無し）でつながっており、該電源４から、電気が送られ、照明器具３ａ〜３ｄに電気が送られ、点検部位の周囲を照らすことができるようになっている。
【００１８】
上記スイッチ５は、電源４から、少なくとも照明器具３ａ〜３ｄに供給される電気をオン・オフするの無線又は有線で構成されるものである。該スイッチ５は、ポール１の下部の握持位置１ａ近傍に設けらている。一番電源４の電気を使用する照明器具３ａ〜３ｄが、手元にあるスイッチ５の切り替えで、オン・オフされるので、照明を使わない時には、電源４の電気を切っておけば良く、撮影ユニット２自身の内蔵電源（図示無し）の持ちが良くなることになる。もちろん、このスイッチ５は撮影ユニット２のスイッチ・オンオフに使うことができるような機能を備えていても良い。また、スイッチ５はポール１の下部の握持位置１ａ近傍に設けているので、手元で直ぐスイッチ５の操作ができ、ハンドリング性が高くなる。
【００１９】
以上説明したように、本実施例の構成によれば、一番電源４の電気を使用する照明器具３ａ〜３ｄが、手元にあるスイッチ５の切り替えで、オン・オフされるので、照明を使わない時には、電源４の電気を切っておけば良く、撮影ユニット２自身の電源４の持ちが良くなることになる。また、スイッチ５はポール１下部の握持位置１ａ近傍に設けてあり、手元で直ぐスイッチ５の操作ができ、ハンドリング性が高くなっている。
【００２０】
他方、上記撮影ユニット２は無線で構成される送信装置を少なくとも備えているため、その送信装置は、信号を送信し、図５及び図６に示すように、その信号を受けた他の端末６で撮影画像を視認できる構成となっている。近年はどこでも手に入りしかも安価な端末６に、タブレット型端末やスマートフォン等があり、それらは略全てにWi-Fiを送受信装置として備えているので、撮影ユニット２にそのようなWi-Fiに対応する送信装置が備えられていることで、通常に持っているこれらのタブレット型端末やスマートフォンを、撮影画像視認用に用いることができ、点検装置としても汎用性が高くなる。
【００２１】
以上詳述したように、本実施例に係る点検装置によれば、撮影ユニット２自身の内蔵電源の持ちが良くなると共に、手元で直ぐスイッチ５の操作ができ、ハンドリング性が高くなり、また、外部の端末６に、通常使用しているタブレット型端末やスマートフォンが、撮影画像視認用に用いることができ、点検装置としても汎用性が高くなる。
【００２２】
尚、本考案の点検装置は、上述の実施例にのみ限定されるものではなく、本考案の要旨を逸脱しない範囲内において種々変更を加え得ることは勿論である。
【産業上の利用可能性】
【００２３】
本考案の点検装置は、天井裏視認用ばかりか、軒の点検、屋根の上の点検、配管密集部やダクト・配管内の点検用、車体の下やタンク内の視認用など、種々の点検用に使用可能である。
【符号の説明】
【００２４】
１              ポール
１ａ            握持位置
２              撮影ユニット
３ａ〜３ｄ      照明器具
４              電源
５              スイッチ
６              端末
１０              弾性体
３０              保護カバー
【図１】
0003208667.tif 000003
【図２】
0003208667.tif 000004
【図３】
0003208667.tif 000005
【図４】
0003208667.tif 000006
【図５】
0003208667.tif 000007
【図６】
0003208667.tif 000008